(57)【要約】      （修正有）【課題】リュックサックとして使用するときの正面側の見栄えを向上させ、かつリュックサック自体の収納容量を減少させることがなく、手提げ鞄として使用するときの見栄えも向上させるリュックサックを提供する。【解決手段】リュックサックは、正面側及び背面側の上部にそれぞれ持ち手４を備え、リュックサック本体１の正面側に、上向きに開口したポケット３を有し、正面側の持ち手の端部がポケットの内側に取り付けられている。【選択図】図１
0003216166.tif 000002
【実用新案登録請求の範囲】
【請求項１】
正面側及び背面側の上部にそれぞれ持ち手を備えたリュックサックにおいて、
リュックサック本体の正面側に、上向きに開口したポケットを有し、正面側の持ち手の端部は前記ポケットの内側に取り付けられた、リュックサック。
【請求項２】
正面側の持ち手の端部は前記ポケットの内側において、リュックサック本体の生地に取り付けられた、請求項１に記載のリュックサック。
【請求項３】
正面側の持ち手は、長さ調節具を備えたものとした、請求項１又は２に記載のリュックサック。
【請求項４】
背面側の持ち手は、長さ調節具を備えたものとし、持ち手の端部はリュックサック本体の背面側に設けられた、上向きに開口したポケットの内側に取り付けられた、請求項１ないし３の何れかに記載のリュックサック。
【請求項５】
背面側の持ち手は、連結具を備え、二分割可能とした、請求項４に記載のリュックサック。
【考案の詳細な説明】
【技術分野】
【０００１】
この考案は、正面側及び背面側の上部にそれぞれ持ち手を備えた、手提げ鞄としても使用できるリュックサックに関するものである。
【背景技術】
【０００２】
鞄類において、持ち手を収納できるようにしたものとして、実用新案登録第３１１１９５２号の考案がある。
この考案は、手提げバック、リュック双方の使用が可能であり、取っ手をバック内に収納できるようになっている。しかしながら、この考案において紐（手提げ）の固定場所はバック本体上部ファスナーの内側下方であり、紐は本体内に収納される。収納する目的は、バックをクッションとして使用するためである。
【先行技術文献】
【特許文献】
【０００３】
【特許文献１】登録実用新案公報第３１１１９５２号
【考案の概要】
【考案が解決しようとする課題】
【０００４】
従来から、正面側及び背面側の上部にそれぞれ持ち手を備えた、手提げ鞄としても使用できるリュックサックは多種存在するが、いずれもリュックサックとして使用するときに正面側の持ち手が外に露出したままであり、見栄えがよくない。
上記考案は持ち手を収納することができるものの、バッグ本体に収納するものであるから、バッグの収納容量が減殺されてしまう。
【０００５】
また、持ち手が長さ調節可能な構造である場合、持ち手を使用して手提げ鞄として使用する時を含め、持ち手を短く調節すると余った部分が長くぶら下がり見栄えが悪い。
【０００６】
この考案は、リュックサックとして使用するときの正面側の見栄えを向上させ、かつリュックサック自体の収納容量を減少させないものを得ることを第一の課題とし、手提げ鞄として使用するときの見栄えを向上させることを第二の課題とするものである。
【課題を解決するための手段】
【０００７】
この考案のリュックサックは、正面側及び背面側の上部にそれぞれ持ち手を備えたリュックサックにおいて、リュックサック本体の正面側に、上向きに開口したポケットを設け、正面側の持ち手の端部を前記ポケットの内側に取り付けたものである。
【０００８】
前記持ち手は、端部をリュックサックに取り付け可能で、かつ前記ポケットに収納できる態様のものであれば、構造、素材、形状を問わない。また、前記ポケットは、取り付けられた持ち手が収納できる大きさ、形状であればよい。
また、持ち手の端部は、リュックサックの前記ポケットを構成する外側の生地に取り付けることもできるが、リュックサック本体の生地に取り付けることが、強度を得る上で好ましい（請求項２）。
【０００９】
請求項３の考案は、正面側の持ち手を長さ調節具を備えたものとしたものである。
【００１０】
請求項４及び請求項５の考案は、背面側の持ち手に係るものであり、請求項４の考案は、背面側の持ち手を長さ調節具を備えたものとし、持ち手の端部をリュックサック本体の背面側に設けられた、上向きに開口したポケットの内側に取り付けらものであり、請求項５の考案は、背面側の持ち手は、連結具を備え、二分割可能としたものである。
【考案の効果】
【００１１】
この考案によれば、リュックサックの正面側に、上向きに開口したポケットを設け、このポケットの内側に持ち手の端部を取り付けたので、リュックサックを背負って使用して持ち手を使用しないときは、正面側の持ち手をポケットに収納することができる。その結果、背負ったリュックにおいて持ち手が露出して見えることはなく、見栄えが向上する。
また、持ち手はポケットに収納するものであるから、リュックサック本体の収納容量が減少することもない。
【００１２】
正面側の持ち手が長さ調節可能な構成である場合、手提げ鞄として使用する場合は、長さの調節によって余ったストラップの端部をポケットに収納することができ、見栄えを向上させることができる。
なお、手提げ鞄として使用する場合、通常は正面側を外側に向けて所持するので、正面側の持ち手の端部がポケットに収納されていれば、背面側の持ち手の端部が露出していても、外観への影響は少ない。
【００１３】
請求項４の考案によれば、背面側においても、手提げ鞄として使用する場合に持ち手の端部の余ったストラップをポケットに収納することができ、見栄えを一層向上させることができる。
請求項５の考案によれば、背面側の持ち手を二分割可能としてあるので、背負って使用するときには、正面側に加えて背面側の持ち手もポケットに収納することができ、見栄えを一層向上させることができる。
【図面の簡単な説明】
【００１４】
【図１】実施例のポケット生地の一部を破断した正面図
【図２】同じくポケット生地の一部を破断した背面図
【図３】同じく正面側の持ち手をポケットに収納した状態の斜視図
【図４】同じく背面側の持ち手の余った部分をポケットに収納した状態の斜視図
【図５】背負いベルト用のポケットを示す背面拡大図
【考案を実施するための形態】
【００１５】
以下、この考案の実施例を説明する。
【実施例】
【００１６】
リュックサック本体１の正面側に、ポケット生地２を縫い付けて、上向きに開口したポケット３が設けられており、このポケット３内において、リュックサック本体１の生地に、テープ状の織物である正面側の持ち手４の両端部が縫い付けてある。
この持ち手４には、長さを調節する調節具５が取り付けてある。
【００１７】
前記ポケット３は、持ち手４を収納するに十分な大きさであり、ポケット３の上部には、ポケット生地２及びリュックサック本体の生地に開口部を閉鎖するための留め具（図では面ファスナー）６が取り付けてある。
【００１８】
リュックサック本体１の背面側に、ポケット生地７を縫い付けて、上向きに開口したポケット８が設けられており、このポケット８内において、リュックサック本体１の生地に、テープ状の織物である背面側の持ち手９の両端部が縫い付けてある。この持ち手９には、長さを調節する調節具１０が取り付けてある。
【００１９】
図２に示すように、背面側の持ち手９に、持ち手９を二分割する連結部１１，１１ａを取り付けることもできるが、これは追加的な構成である。
前記ポケット８は、持ち手９を収納するに十分な大きさとしてある。
図中符号１２は背負い用のベルトである。
【００２０】
以下、使用方法を説明する。
【００２１】
（背負って使用するとき）
背負って使用するときは、正面側の持ち手４をポケット３に収納し、留め具６によって開口部を閉鎖する。これによって、リュックサックを背負ったときに、持ち手が外に露出することはなく、スッキリとした外観となり、見栄えがよい。
【００２２】
背面側においては、持ち手は通常リュックサックと背中の間に挟まれて見えにくいが、必要により、連結具１１，１１ａを外して持ち手を分割した上で、ポケット８に収納する。このようにすることで、持ち手の不慮の露出を未然に防止することができる。
【００２３】
（手提げ鞄として使用するとき）
手提げ鞄として使用するときは、正面側と背面側の持ち手４，９をポケットから出して使用するのであるが、持ち手に長さの調節具が取り付けてある場合、持ち手の端部が二重となり余った部分４ａ,９ａの部分が長いと煩わしい上に見栄えも悪い。
【００２４】
上記において、持ち手の先端部はポケット３，８の内側に縫い付けてあるので、長さの調節で余った部分４ａ,９ａはポケット内に収納することができる。これによって、リュックサックを下げて持ったときに、長さの調節で余った部分が外に露出することはなく、スッキリとした外観となり、見栄えがよい。
なお、下げて手提げ鞄として使用するときは、通常正面側を外側にして持つので、背面側の二重部分の露出は外観上あまり影響しない。したがって、正面側の二重部分のみを収納することで、所期の目的を達することができる。
【００２５】
この実施例に基づいて請求項との関係を整理すると以下の通りである。
（１）背負って使用するとき、手提げ鞄として使用するとき、共に持ち手が外観を損ねるのは主として正面側である。したがって、正面側の持ち手がポケットに収納できることで、この考案の課題に対応することができる（請求項１，そして長さ調節具を備える場合は請求項３）。
（２）背面側においても、持ち手における長さ調節による余った部分の露出を阻止しようとする場合には、正面側に加えて背面側も、正面側と同様にポケットを設けた構成とし（請求項４）、持ち手全体の露出を阻止しようとする場合は、持ち手に連結具を備えて二分割の上、ポケットに収納するようにする（請求項５）。
【００２６】
付加的に、背負い用のベルト１２の下端取り付け部の近傍に横向きに開口したポケット１３を設けると、以下の構成を加えると、背負い用ベルトにおいて長さ調節のために生じる端部の余った部分１２ａもポケットに収納することができ、全てのベルトの端部の余った部分が露出せず、見栄えが向上する。
【符号の説明】
【００２７】
１    リュックサック本体
２    ポケット生地
３    ポケット
４    持ち手
５    調節具
６    留め具
７    ポケット生地
８    ポケット
９    持ち手
１０  調節具
１１，１１ａ  連結具
１２  背負い用ベルト
１２ａ   背負い用ベルトの余った部分
１３  ポケット
【図１】
0003216166.tif 000003
【図２】
0003216166.tif 000004
【図３】
0003216166.tif 000005
【図４】
0003216166.tif 000006
【図５】
0003216166.tif 000007